(57)【要約】【課題】ドライバーに煩わしさを感じさせることなく車両の発進シーン、加速シーン等に於ける燃費を向上させる車両駆動力制御装置を提供する。【解決手段】アクセル開度に基づきアクセルペダル踏み込み開始後の経過時間を算出する経過時間算出手段と、前記アクセル開度と駆動力との関連特性に基づいて前記検出されたアクセル開度に対応する目標駆動力を算出する目標駆動力算出手段と、少なくとも前記算出された目標駆動力に基づいて駆動力制御装置を操作するための駆動力操作量を算出する駆動力制御手段と、前記算出された駆動力操作量に基づいて駆動力を制御する駆動力制御装置とを備えた車両駆動力制御装置であって、前記目標駆動力算出手段は、前記経過時間算出手段により算出される前記経過時間の増大に伴って前記目標駆動力を漸次減少させる目標駆動力を算出するようにした。【選択図】図１
2010281255.tif 000002
【特許請求の範囲】
【請求項１】
アクセルの開度を検出するアクセル開度センサと、前記検出されたアクセル開度に基づきアクセルペダル踏み込み開始後の経過時間を算出する経過時間算出手段と、前記アクセル開度と駆動力源の駆動力との関連特性に基づいて前記検出されたアクセル開度に対応する目標駆動力を算出する目標駆動力算出手段と、少なくとも前記算出された目標駆動力に基づいて駆動力操作量を算出する駆動力制御手段と、前記算出された駆動力操作量に基づいて前記駆動力源の駆動力を制御する駆動力制御装置とを備えた車両駆動力制御装置であって、前記目標駆動力算出手段は、前記経過時間算出手段により算出される前記経過時間の増大に伴って前記目標駆動力を漸次減少させる目標駆動力を算出することを特徴とする車両駆動力制御装置。
【請求項２】
前記経過時間算出手段は、前記検出されたアクセル開度に基づきアクセルペダル全閉状態から非全閉状態に移行した後の経過時間を算出することを特徴とする請求項１に記載の車両駆動力制御装置。
【請求項３】
前記経過時間算出手段は、前記検出されたアクセル開度に基づきアクセル開度の変化量が所定値以上となった時点からの経過時間を算出することを特徴とする請求項１に記載の車両駆動力制御装置。
【請求項４】
アクセルペダル踏み込みを開始した時点から所定時間内のアクセル開度変化量を算出するアクセル開度変化量算出手段を備え、前記目標駆動力算出手段は、少なくとも前記検出されたアクセル開度と前記算出された経過時間と前記算出されたアクセル開度変化量とに基づいて目標駆動力を算出し、前記アクセル開度変化量の増大に伴って、前記目標駆動力を漸次減少させる速度が遅くなるように目標駆動力を算出することを特徴とする請求項２又は３に記載の車両駆動力制御装置。
【請求項５】
アクセル開度を検出するアクセル開度センサと、自車の車速を検出する車速センサと、前記アクセル開度と駆動力源の駆動力との関連特性に基づいて前記検出されたアクセル開度に対応する目標駆動力を算出する目標駆動力算出手段と、少なくとも前記算出された目標駆動力に基づいて駆動力操作量を算出する駆動力制御手段と、前記算出された駆動力操作量に基づいて前記駆動力を制御する駆動力制御装置とを備えた車両駆動力制御装置であって、前記目標駆動力算出手段は、前記車速検出手段により検出される前記車速の増大に伴って前記駆動力操作量を漸次減少させる目標駆動力を算出することを特徴とする車両駆動力制御装置。
【請求項６】
自車と先行車との相対位置及び相対速度を検出する相対位置・相対速度センサと、少なくとも前記検出された相対位置及び相対速度に基づいて前記自車と先行車との接近状態を判定する接近状態判定手段とを備え、前記目標駆動力算出手段は、前記接近状態判定手段により判定された接近状態が所定値以下のときは、前記目標駆動力を漸次減少させる速度を大きくすることを特徴とする請求項４又は５に記載の車両駆動力制御装置。
【請求項７】
自車と先行車との相対位置及び相対速度を検出する相対位置・相対速度センサと、少なくとも前記検出された相対位置及び相対速度に基づいて前記自車と先行車との接近状態を判定する接近状態判定手段とを備え、前記目標駆動力算出手段は、前記接近状態判定手段により判定された接近状態が所定値以下のときは、前記目標駆動力を漸次減少させないことを特徴とする請求項４又は５に記載の車両駆動力制御装置。
【発明の詳細な説明】
【技術分野】
【０００１】
この発明は、車両に搭載された駆動力源の制御装置、特に、駆動力源の駆動力を制御することで車両の燃費の向上を図るようにした車両駆動力制御装置に関するものである。
【背景技術】
【０００２】
近年、地球温暖化の要因であるＣＯ２削減の課題、或いは石油資源の枯渇問題が注目される中、自動車産業に於いて燃料消費量の削減、即ち燃費の改善に向けた様々な研究開発や実用化への取り組みが進められている。燃費改善を実現するためには、無駄な燃料を消費しないこと、燃料消費によって得た車両の運動エネルギーを効率良く使用する必要があること等が知られている。特に車両発進時等の加速シーンに於いては、車両を目標車速まで加速させる、即ち運動エネルギーを増加させるため、多くの燃料を消費する。
【０００３】
中でも、特に運転経験の浅いドライバーや運転技術が低いドライバーは、発進時及び加速時にアクセルペダルを踏み込み過ぎるため、無駄な燃料消費を繰り返し、結果的に燃費の悪化に繋がってしまう。これを受け、スロットルバルブをスロットルアクチュエータによって制御する電子スロットル制御の車両では、ドライバーが省燃費モードを選択することにより、エンジン出力特性を低下させることで、発進時等の加速時の燃費悪化を防ぐようにした技術が提案されている(例えば、特許文献１参照)。
【先行技術文献】
【特許文献】
【０００４】
【特許文献１】特許第３８７２５０７号公報
【発明の概要】
【発明が解決しようとする課題】
【０００５】
しかしながら、特許文献１に示された技術では、車両の発進シーン及び加速シーンに於いて、ドライバーが思い描く加速度が得られない場合、ドライバーが違和感を抱いてしまう。このため、アクセルペダルの踏み増しが生じ、燃料消費量が増加してしまう。又、省燃費モードであったとしても、アクセルペダル操作量に対するスロットルバルブ操作量を通常モードよりも低下させるだけであり、燃費改善を意識していないドライバーの加速意思によって生じるアクセルペダルの踏み増しを防ぐことは出来ず、結果として燃費が低下する。
【０００６】
この発明は、従来の技術に於ける前述のような課題を解決するためになされたものであり、ドライバーに煩わしさを感じさせることなく燃費を向上させる車両駆動力制御装置を提供することを目的とするものである。
【０００７】
又、この発明は、車両の発進シーン、加速シーン等の燃費を向上させる車両駆動力制御装置を提供することを目的とするものである。
【課題を解決するための手段】
【０００８】
この発明による車両駆動力制御装置は、アクセルの開度を検出するアクセル開度センサと、前記検出されたアクセル開度に基づきアクセルペダル踏み込み開始後の経過時間を算出する経過時間算出手段と、前記アクセル開度と駆動力源の駆動力との関連特性に基づいて前記検出されたアクセル開度に対応する目標駆動力を算出する目標駆動力算出手段と、少なくとも前記算出された目標駆動力に基づいて駆動力操作量を算出する駆動力制御手段と、前記算出された駆動力操作量に基づいて前記駆動力源の駆動力を制御する駆動力制御装置とを備えた車両駆動力制御装置であって、前記目標駆動力算出手段は、前記経過時間算出手段により算出される前記経過時間の増大に伴って前記目標駆動力を漸次減少させる目標駆動力を算出するように構成されるものである。
この発明による車両駆動力制御装置は、好適には、前記経過時間算出手段は、前記検出されたアクセル開度に基づきアクセルペダル全閉状態から非全閉状態に移行した後の経過時間を算出するように構成されるものである。
更に、この発明による車両駆動力制御装置は、好適には、前記経過時間算出手段は、前記検出されたアクセル開度に基づきアクセル開度の変化量が所定値以上となった時点からの経過時間を算出するように構成されるものである。
又、この発明による車両駆動力制御装置は、好適には、アクセルペダル踏み込みを開始した時点から所定時間内のアクセル開度変化量を算出するアクセル開度変化量算出手段を備え、前記目標駆動力算出手段は、少なくとも前記検出されたアクセル開度と前記算出された経過時間と前記算出されたアクセル開度変化量とに基づいて目標駆動力を算出し、前記アクセル開度変化量の増大に伴って、前記目標駆動力を漸次減少させる速度が遅くなるように目標駆動力を算出するように構成されるものである。
【０００９】
又、この発明による車両駆動力制御装置は、アクセル開度を検出するアクセル開度センサと、自車の車速を検出する車速センサと、前記アクセル開度と駆動力源の駆動力との関連特性に基づいて前記検出されたアクセル開度に対応する目標駆動力を算出する目標駆動力算出手段と、少なくとも前記算出された目標駆動力に基づいて駆動力操作量を算出する駆動力制御手段と、前記算出された駆動力操作量に基づいて前記駆動力を制御する駆動力制御装置とを備えた車両駆動力制御装置であって、前記目標駆動力算出手段は、前記車速検出手段により検出される前記車速の増大に伴って前記駆動力操作量を漸次減少させる目標駆動力を算出するように構成されるものである。
この発明による車両駆動力制御装置は、好適には、自車と先行車との相対位置及び相対速度を検出する相対位置・相対速度センサと、少なくとも前記検出された相対位置及び相対速度に基づいて前記自車と先行車との接近状態を判定する接近状態判定手段とを備え、前記目標駆動力算出手段は、前記接近状態判定手段により判定された接近状態が所定値以下のときは、前記目標駆動力を漸次減少させる速度を大きくするように構成されるものである。
更に、この発明による車両駆動力制御装置は、好適には、自車と先行車との相対位置及び相対速度を検出する相対位置・相対速度センサと、少なくとも前記検出された相対位置及び相対速度に基づいて前記自車と先行車との接近状態を判定する接近状態判定手段とを備え、前記目標駆動力算出手段は、前記接近状態判定手段により判定された接近状態が所定値以下のときは、前記目標駆動力を漸次減少させる速度を大きくするように構成されるものである。
又、この発明による車両駆動力制御装置は、好適には、自車と先行車との相対位置及び相対速度を検出する相対位置・相対速度センサと、少なくとも前記検出された相対位置及び相対速度に基づいて前記自車と先行車との接近状態を判定する接近状態判定手段とを備え、前記目標駆動力算出手段は、前記接近状態判定手段により判定された接近状態が所定値以下のときは、前記目標駆動力を漸次減少させないように構成されるものである。
【発明の効果】
【００１０】
この発明による車両駆動力制御装置によれば、目標駆動力算出手段は、経過時間算出手段により算出される経過時間の増大に伴って駆動力を漸次減少させる目標駆動力を算出するようにしたので、ドライバーに煩わしさを感じさせることなく、燃費を向上させることができる車両駆動力制御装置を提供することができる。
【００１１】
又、この発明による車両駆動力制御装置によれば、目標駆動力算出手段は、車速検出手段により検出される車速の増大に伴って駆動力を漸次減少させる目標駆動力を算出するようにしたので、車両の発進シーン、加速シーン等の燃費を向上させる車両駆動力制御装置を提供することができる。
【図面の簡単な説明】
【００１２】
【図１】この発明の実施の形態１による車両駆動力制御装置の構成を示すブロック図である。
【図２】この発明の実施の形態１による車両駆動力制御装置の動作を説明するタイミングチャートである。
【図３】この発明の実施の形態１による車両駆動力制御装置に於ける接近状態判定手段内で実行される処理を説明するためのフローチャートである。
【図４】この発明の実施の形態１による車両駆動力制御装置に於ける目標駆動力算出手段内で実行される処理を説明するためのフローチャートである。
【図５】この発明の実施の形態１による車両駆動力制御装置に於ける重み付け値ωの特性を示すグラフである。
【図６】この発明の実施の形態１による車両駆動力制御装置に於けるアクセル開度と駆動力の関係を示すグラフである。
【図７】この発明の実施の形態１による車両駆動力制御装置に於けるアクセル開度変化量と所定時間経過後の到達車速の関係を示すグラフである。
【図８】この発明の実施の形態１による車両駆動力制御装置に於ける車速と駆動力の関係を示すグラフである。
【図９】この発明の実施の形態２による車両駆動力制御装置の構成を示すブロック図である。
【図１０】この発明の実施の形態２による車両駆動力制御装置の動作を説明するタイミングチャートである。
【図１１】この発明の実施の形態２による車両駆動力制御装置に於ける目標駆動力算出手段内で実行される処理動作を説明するためのフローチャートである。
【図１２】この発明の実施の形態２による車両駆動力制御装置に於ける重み付け値ωの特性を示すグラフである。
【発明を実施するための形態】
【００１３】
実施の形態１．
図１は、この発明の実施の形態１に係る車両駆動力制御装置の構成を示すブロック図である。図１に於いて、アクセル開度センサ１０１は、駆動力源であるエンジン（図示せず）へ供給する燃料と空気との混合気の量を制御するアクセル（図示せず）に於けるのアクセル開度θを検出する。経過時間算出手段としての踏込み経過時間算出手段１０２は、アクセル開度検出手段１０１により検出したアクセル開度θに基づき、アクセル全閉状態からアクセル非全閉状態に移行した瞬間の時点からの経過時間ｔｒを算出する。アクセル開度変化量算出手段１０３は、アクセル開度検出手段１０１により検出したアクセル開度θに基づき、アクセル全閉状態からアクセル非全閉状態に移行した瞬間の時点から所定時間内のアクセル開度変化量δθを算出する。
【００１４】
相対位置・相対速度検出センサ１０４は、先行車との相対位置Ｄ、及び相対速度Ｖｒｅｌを検出する。車速センサ１０５は、自車の車速Ｖｓを検出する。接近状態判定手段１０６は、相対位置・相対速度検出手段１０５により検出した相対位置Ｄ及び相対速度Ｖｒｅｌと、車速センサ１０５により検出した車速Ｖｓとに基づき、先行車に対する接近状態を判定し、接近フラグＦｌｇをオン「１」又はオフ「０」として出力する。
【００１５】
目標駆動力算出手段１０７は、アクセル開度検出手段１０１により算出したアクセル開度θ、踏込み経過時間算出手段１０２により算出した経過時間ｔｒ、アクセル開度変化量算出手段１０３により算出したアクセル開度変化量δθ、接近状態判定手段１０６により判定した接近フラグＦｌｇに基づき目標駆動力Ｐを算出する。駆動力制御手段１０８は、少なくとも目標駆動力算出手段１０７により算出した目標駆動力Ｐに基づき、駆動力操作量Ｑを算出する。
【００１６】
尚、駆動力源は、エンジンのみにより構成されている場合のほか、ハイブリッド車のようにエンジンと電動機とにより構成されている場合をも含む。又、駆動力制御手段１０８は、目標駆動力Ｐだけでなく、駆動力源の回転数、ハイブリッド車のように駆動力を電動機によりアシストする場合はその電動機によるアシスト駆動力等に基づき、駆動力操作量Ｑを算出するようにしてもよい。
【００１７】
駆動力制御装置１０９は、駆動力制御手段１０８により算出した駆動力操作量Ｑに基づき、駆動力源の駆動力を制御する。具体的には、駆動力制御装置１０９は、例えば、ガソリンエンジン搭載車の場合ではスロットルバルブの開度と吸気バルブのリフト量及び開閉タイミングを制御し、ディーゼルエンジン搭載車の場合ではインジェクタの燃料噴射量及び燃料噴射タイミングを制御し、駆動力源の駆動力を制御する。
【００１８】
次に、以上のように構成されたこの発明の実施の形態１に係る車両駆動力制御装置の動作について説明する。図２は、この発明の実施の形態１による車両駆動力制御装置の動作を説明するタイミングチャートであり、（ａ）はアクセル操作量、（ｂ）は駆動力、（ｃ）は自車と先行車との相対速度を示している。図２は、（ｃ）に示すように、時点ｔ１〜ｔ４の間は、先行車が自車から一定の相対速度で離反している状態、時点ｔ４〜ｔ７の間は、相対速度が時点ｔ１〜ｔ４の間よりは減少はしたものの依然として先行車が自車から離反している状態、時点ｔ７は、相対速度が「０」となった状態、時点ｔ７以降は、相対速度がマイナス、つまり自車が先行車に接近している状態を夫々示している。
【００１９】
図３は、接近状態判定手段１０６内で実行される処理を説明するためのフローチャートである。図３に示す処理は、所定の時間毎に繰り返して行なわれる。先ず、接近状態判定手段１０６は、以下に述べる処理動作により接近判定フラグＦｌｇを設定し出力する。図３に於いて、ステップ３０１では、相対位置・相対速度検出センサ１０４により検出した相対速度Ｖｒｅｌを取得する。ステップ３０２では、相対位置・相対速度検出センサ１０４により検出した相対位置Ｄを取得する。次に、ステップ３０３では、車速センサ１０５により検出した車速Ｖｓを取得する。
【００２０】
ステップ３０４に於いて、ステップ３０３にて取得した車速Ｖｓに基づき自車が停止中か否かを判定し、自車が停車していると判定した場合はステップ３０５へ進み、それ以外の場合はステップ３０６へ進む。ステップ３０５に進むと、ステップ３０１にて取得した相対速度Ｖｒｅｌと、ステップ３０２にて取得した相対位置Ｄに基づき、先行車が停車中で且つ車間距離が所定値以下か否かを判定し、先行車が停車中で且つ車間距離が所定値以下であると判定した場合は、ステップ３０７へ進み、それ以外の場合はステップ３０８へ進む。
【００２１】
前述のステップ３０４により、自車が停止中ではないと判定されてステップ３０６に進むと、ステップ３０６では、ステップ３０１にて取得した相対速度Ｖｒｅｌに基づき、先行車との相対速度Ｖｒｅｌが「０」より小さいか否かを判定し、先行車との相対速度Ｖｒｅｌが「０」より小さいと判定した場合、即ち先行車との接近状態にあると判定した場合、即ち図２の（ｃ）に於ける時点ｔ７以降の状態にあると判定した場合は、ステップ３０７へ進み、それ以外の場合はステップ３０８へ進む。ステップ３０７に進むと、接近判定フラグＦｌｇをオン、つまり接近判定フラグＦｌｇを「１」に設定する。ステップ３０６により、自車が先行車に接近していない状態、つまり図２の（c）に於ける時点ｔ７以前の状態あると判定してステップ３０８に進むと、ステップ３０８では、接近判定フラグＦｌｇをオフ、つまり接近判定フラグＦｌｇを「０」に設定する。
【００２２】
以上のように、接近状態判定手段１０６では、自車と先行車が接近している場合、及び自車と先行車双方が所定の車間距離以下で停車している場合を検出し、その検出に基づいて接近判定フラグＦｌｇを「１」又は「０」に設定し、その設定した接近判定フラグＦｌｇを出力する。
【００２３】
尚、この実施の形態１では、自車の車速、先行車と自車両との相対位置、相対速度、に基づいて接近状態を判定しているが、接近状態の判定はこれに限られるものではなく、その他の方法で判定してもよい。
【００２４】
目標駆動力算出手段１０７は、以下に述べる処理により目標駆動力Ｐを算出し出力する。図４は、目標駆動力算出手段１０７内で実行される処理を説明するためのフローチャートである。図４に示す処理は、所定時間毎に繰り返して行なわれる。図４に於いて、ステップ４０１ではアクセル開度検出手段１０１により算出したアクセル開度θを取得する。ステップ４０２では、踏込み経過時間算出手段１０２にて算出した経過時間ｔｒを取得する。つまり、図２の（ａ）に示すように、時点ｔ１、ｔ５、ｔ８の各時点は、アクセル全閉状態からアクセル非全閉状態に移行した瞬間の時点であり、ステップ４０２ではそれらの各時点ｔ１、ｔ５、ｔ８からの経過時間ｔｒを取得する。
【００２５】
アクセル開度変化量算出手段１０３は、図２に於いてアクセル全閉状態からアクセル非全閉状態に移行した瞬間の時点ｔ１、ｔ５、ｔ８から夫々所定時間内のアクセル開度変化量δθを算出している。ステップ４０３に進むと、アクセル開度変化量算出手段１０３にて算出したアクセル開度変化量δθを取得する。次に、ステップ４０４では、前述の接近状態判定算出手段１０６にて算出した接近フラグＦｌｇを取得し、ステップ４０５に進む。
【００２６】
ステップ４０５では、ステップ４０４にて取得した接近フラグＦｌｇがオフか否かを判定し、オフの場合、つまり図２の（c）に示す時点ｔ７以前の状態にあり自車と先行車が接近状態でない場合は、ステップ４０６へ進み、それ以外の場合はステップ４０８へ進む。ステップ４０６に進むと、前述のステップ４０３にて取得したアクセル開度変化量δθから、下記の式（１）に基づき、自車と先行車が接近状態でない場合の重み付け値特性の傾きＡを算出する。
【数１】
2010281255.tif 000003
ここに、Ｂは定数である。
【００２７】
次に、ステップ４０７では、ステップ４０６にて算出した重み付け値特性の傾きＡと、ステップ４０２で取得した経過時間ｔｒから、下記の式（２）に基づき、重み付け値ωを算出する。図５は、重み付け値ωの特性を示すグラフである。図５に示すように、重み付け値ωは、アクセル全閉状態からアクセル非全閉状態に移行した瞬間からの経過時間ｔｒに比例する特性を備えている。この重み付け値ωの傾きＡは、前述の式（１）から明らかなように、アクセル開度変化量δθが大きいほど小さくなる。
【数２】
2010281255.tif 000004
【００２８】
一方、ステップ４０５にて接近フラグＦｌｇがオンである、つまり図２の（c）に示す時点ｔ７以降の状態にあり自車と先行車が接近状態にあると判定した場合は、ステップ４０８へ進み、ステップ４０２にて取得した経過時間ｔｒから、下記の式（３）に基づき、自車と先行車が接近状態である場合の重み付け値ωを算出する。ここで、定数Ｃは、ステップ４０６にて算出した重み付け値特性の傾きＡと異なりアクセル開度変化量δθに依存せず、前述の傾きＡよりも大きな値とする。
【数３】
2010281255.tif 000005
【００２９】
ステップ４０８に於ける、自車と先行車とが接近状態にある場合の重み付け値ωの算出処理は、先行車との接近時の燃費消費を抑制するために以下の点に注目して行なわれる。即ち、一般的なドライバーは、渋滞に於ける発進シーンに於いて、先行車との車間距離を詰めようとする特徴がある。これは、自車線以外からの割込みを防ぎたいと考えるドライバーの意思によるものや、単に先を急ぐ気持ちから生じるものであると考えられる。しかし、車間距離が短く、且つ先行車が停車している場合、若しくは先行車に低速追従している場合、発進操作後すぐに減速動作に入ることが多い。
【００３０】
ここで、発進操作時のアクセルペダル操作が、アクセル開度を抑制した省燃費運転であれば問題ないが、運転経験の浅いドライバーや運転技術が低いドライバーの場合、必要以上にアクセルペダルを踏んでしまうため、無駄な燃料を消費する。そこで、相対位置・相対速度センサ１０４により、自車と先行車とが接近状態にある状況を検出した場合、前述の定数Ｃの値、つまり自車と先行車とが接近状態にある場合の重み付け値特性の傾きを、自車と先行車とが接近状態にない場合の通常時の重み付け値特性の傾きＡよりも大きな値とする。このことにより、図２の（ｂ）の時点ｔ８〜ｔ９の間の駆動力に示すように発進操作後、直ちに駆動力を抑制することができる。
【００３１】
ステップ４０９に於いては、ステップ４０１により検出したアクセル開度θ、ステップ４０７、又は、ステップ４０８で算出した重み付け値ωから、下記の式（４）に基づいて目標駆動力Ｐを算出する。
【００３２】
【数４】
2010281255.tif 000006
ここで、f１(θ)は特性f１で与えられる目標駆動力、f２(θ)は特性f２で与えられる目標駆動力、Δは目標駆動力f１(θ)とf２(θ)との偏差である。
【００３３】
図６は、この発明の実施の形態１による車両駆動力制御装置に於けるアクセル開度と駆動力の関係を示すグラフである。目標駆動力Ｐは、例えば図６に示すアクセル開度θと駆動力Ｐとの関連特性に基づいて算出される。図６に示すように、特性f２で与えられる目標駆動力ｆ２(θ)は、特性f１で与えられる目標駆動力ｆ１(θ)よりも小さな値となる。
【００３４】
図７は、アクセル開度変化量δθと所定時間経過後の到達車速Ｖｒｃｈとの関係を示すグラフである。一般的に、図７に示すように、アクセル開度変化量δθと所定時間経過後の到達車速Ｖｒｃｈとの間には、比例関係があることが知られている。これに加え、一般的に到達車速Ｖｒｃｈの高さに比例して、アクセルペダルの操作時間が長くなることも知られている。
【００３５】
そこで、目標駆動力算出手段１０７は、以下の点に注目し、車両の発進シーン及び加速シーンに於ける無駄な燃料消費を抑える制御を可能とする目標駆動力Ｐを算出する。先ず、図５に示すように重み付け値ωを経過時間ｔｒに比例して変化させ、これに加えてアクセル操作開始後のアクセル開度変化量δθに基づき、重み付け値特性の傾きＡを補正する。そして、図６に示すような目標駆動力f１(θ)を与える特性ｆ１と、この目標駆動力f１(θ)より小さな目標駆動力f２(θ)を与える特性ｆ２と、アクセル開度変化量δθと経過時間ｔｒから算出した重み付け値ωとに基づいて目標駆動力Ｐを算出する。以上より、図２の（ｂ）に示すように、ドライバーのアクセル操作量に対する駆動力を、時間の経過とともに小さくする。このため、省燃費運転の熟練ドライバーがアクセル操作を行った場合の駆動力の動きに近くすることができ、燃費を向上させることができる。又、ドライバーのアクセル操作に対して適切に駆動力を漸減制御するため、図２の時点ｔ１でのアクセル操作のようにアクセル操作量が大きい場合は到達車速が高いと判断し、重み付け値ωを小さくして駆動力の漸減速度を遅くすることで、アクセルペダルの踏み増しを防止し、燃費を向上させる。又、図２の時点ｔ５でのアクセル操作のようにアクセル操作量が小さい場合、到達車速が低いと判断し、重み付け値ωを大きくして駆動力の漸減速度を速くすることで、燃費を向上させる。
【００３６】
又、先行車の影響を受けて追従しているシーンでは、目標駆動力の漸減制御の燃費改善効果が小さくなること、又、適切な目標駆動力制御を実施できない場合は、逆に燃費が悪化してしまうことがある。そこで、図２に示す時点ｔ７以降の状態のように接近状態判定手段１０６により自車と先行車との接近状態を検出した場合、目標駆動力算出手段１０７に於いて、目標駆動力の漸減制御を行わない。これにより、先行車追従時の燃費悪化を防ぐことができる。
【００３７】
図８は、車速と駆動力との関係を示すグラフである。図８に示すように、最も燃料消費量が少ない加速方法は、より小さな余裕駆動力を引き出しながら加速する方法である。しかし、運転経験の浅いドライバーや運転技術が低いドライバーの場合、アクセル操作は踏込み時、戻し時ともにステップ的であるため、図８に破線Ｗに示すような軌跡を描く。このため、実際には必要以上の余裕駆動力を引き出し、燃費を悪化させている。
【００３８】
このため、この発明の実施の形態１では、図２に示すようにアクセルペダル操作開始の時点ｔ１、ｔ５、ｔ８の後の経過時間とともに、徐々に駆動力を漸減することで、図８に実線Ｅに示すような軌跡を描く加速を行い、無駄な燃料消費を抑える。又、アクセル操作開始の時点ｔ１、ｔ５、ｔ８ではドライバーの思い描く加速が得られるため、踏み増しを防ぐことができる。
【００３９】
以上述べたように、この発明の実施の形態１による車両駆動力制御装置によれば、適切な駆動力制御を実施することで余裕駆動力を抑えて、図８に実線Ｅにて示すような加速をすることで、無駄な燃料消費を抑えることができる。これにより、ドライバーに煩わしさを感じさせること無く、即ちドライバーの意識無しに燃費を向上させることができる車両駆動力制御装置を提供することができる。
【００４０】
実施の形態２．
図９は、この発明の実施の形態２による車両駆動力制御装置の構成を示すブロック図である。図９に於いて、アクセル開度センサ９０１は、アクセル開度θを検出する。車速センサ９０２は、自車の車速Ｖｓを検出する。相対位置・相対速度検出センサ９０３は、先行車との相対位置Ｄ及び相対速度Ｖｒｅｌを検出する。接近状態判定手段９０４は、相対位置・相対速度検出センサ９０３により検出した相対位置Ｄと相対速度Ｖｒｅｌと、車速センサ９０２により検出した車速Ｖｓに基づき、先行車に対する接近状態を判定し、接近状態であれば接近フラグＦｌｇをオン「１」に設定し、接近状態でなければ接近フラグＦｌｇをオフ「０」に設定する。
【００４１】
目標駆動力算出手段９０５は、アクセル開度検出手段９０１により検出したアクセル開度θ、車速センサ９０２により検出した車速Ｖｓ、接近状態判定手段９０４により判定した接近フラグＦｌｇから、目標駆動力Ｐを算出する。駆動力制御手段９０６は、少なくとも目標駆動力算出手段９０５により算出した目標駆動力Ｐに基づき、駆動力操作量Ｑを算出する。
【００４２】
尚、駆動力制御手段９０６は、目標駆動力Ｐだけでなく、駆動力源の回転数、ハイブリッド車のように駆動力を電動機によりアシストする場合はその電動機によるアシスト駆動力等に基づき、駆動力操作量Ｑを算出するようにしてもよい。
【００４３】
駆動力制御装置９０７は、駆動力制御手段９０６により算出した駆動力操作量Ｑに基づき、駆動力源の駆動力を制御する。具体的には、駆動力制御装置１０７は、例えば、ガソリンエンジン搭載車の場合ではスロットルバルブの開度と吸気バルブのリフト量及び開閉タイミングを制御し、ディーゼルエンジン搭載車の場合ではインジェクタの燃料噴射量及び燃料噴射タイミングを制御し、駆動力源の駆動力を制御する。
【００４４】
次に、以上のように構成されたこの発明の実施の形態２に係る車両駆動力制御装置の動作について説明する。図１０は、この発明の実施の形態２による車両駆動力制御装置の動作を説明するタイミングチャートであり、（ａ）はアクセル操作量、（ｂ）は駆動力、（ｃ）は自車の車速を示している。図１０は、時点ｔ１１に於いて発進を開始し、時点ｔ１２に於いて巡航運転状態に入り、時点ｔ１３に於いて加速状態になり、時点ｔ１４に於いて加速後の巡航運転状態に入る場合の、アクセル操作量、及び駆動力の状態を示している。
【００４５】
図１１は、目標駆動力算出手段９０５内で実行される処理動作を説明するためのフローチャートである。図１１に示す処理は、所定の時間毎に繰り返して行われる。図１１に於いて、ステップ１１０１では、アクセル開度センサ９０１で検出したアクセル開度θを取得する。ステップ１１０２では、車速センサ９０２で算出した車速Ｖｓを取得する。次に、ステップ１１０３に於いて接近状態判定算出手段９０４により算出した接近フラグＦｌｇを取得する。
【００４６】
ステップ１１０４に於いて、ステップ１１０３にて取得した接近フラグＦｌｇがオフであり、自車と先行車が接近状態でない場合はステップ１１０５へ、それ以外の場合、つまり接近フラグＦｌｇがオンで接近状態である場合はステップ１１０６へ進む。ステップ１１０５に進むと、ステップ１１０２にて取得した車速Ｖｓに基づき、重み付け値ωを算出する。図１２は、重み付け値ωの特性を示すグラフである。図１２に示すように、車速Ｖｓの上昇に伴い、重み付け値ωは大きくなる。
【００４７】
一方、ステップ１１０４での判定の結果、接近フラグＦｌｇがオンであると判定してステップ１１０６に進むと、重み付け値ωとして所定値Ｃを与える。先行車の影響を受けて追従しているシーンでは、目標駆動力の漸減制御の燃費改善効果が小さくなることや、適切な目標駆動力制御を実施できない場合は、逆に燃費が悪化してしまうことがある。このため、接近状態判定手段９０４により接近状態を検出した場合、例えば、重み付け値を「０」とし、目標駆動力算出手段９０５に於いて目標駆動力を与える特性を変更しないことで、先行車追従時の燃費悪化を防ぐことができる。
【００４８】
ステップ１１０７に於いては、ステップ１１０１により検出したアクセル開度θ、ステップ１１０５、又はステップ１１０６で算出した重み付け値ωから、下記の式（５）に基づいて目標駆動力Ｐを算出する。
【数５】
2010281255.tif 000007
ここで、f１(θ)は特性f１で与えられる目標駆動力、f２(θ)は特性f２で与えられる目標駆動力、Δは目標駆動力f１(θ)とf２(θ)との偏差である。特性f1で与えられる目標駆動力f1(θ)、及び特性f2で与えられる目標駆動力f2(θ)は、例えば前述の図６に示す関係にある。
【００４９】
目標駆動力算出手段９０５は、図６に示すような特性ｆ１と、特性ｆ１より小さな目標駆動力を与える特性ｆ２と、車速Ｖｓから算出した重み付け値ωに基づいて目標駆動力Ｐを算出する。その結果、図１０に示す時点ｔ１１〜ｔ１２間の発進シーンや、時点ｔ１３〜ｔ１４間の加速シーンに於ける駆動力を、図１０の（ｂ）に示すように適切に漸減制御することができる。
【００５０】
通常のエコ運転では、巡航中の加速シーンに於いて、ドライバーが意図的にアクセル操作量を小さくすることで無駄な燃料消費を抑えている。巡航中の車両は十分な運動エネルギーを持った状態であるため、運動エネルギーのない発進シーンと比較して、所望の車速上昇に要する燃料消費量が少ない。しかし、運転経験の浅いドライバーや運転技術が低いドライバーの場合、発進時と同じアクセルペダル操作をしてしまうため、必要量以上の燃料を消費していることになる。
【００５１】
そこで、この発明の実施の形態２による車両駆動力制御装置によれば、目標駆動力算出手段９０５は、前述のようにアクセル開度センサ９０１で検出したアクセル開度θ、車速センサ９０２により検出した車速Ｖｓ、接近状態判定手段９０４により判定した接近フラグＦｌｇに基づき、目標駆動力Ｐを算出するように構成されており、車速が上昇し、十分な運動エネルギーを得た巡航状態からの加速シーン、即ち図１０に示す時点ｔ１３〜ｔ１４の加速シーンに於いて、車速に比例する重み付け値ωに基づき目標駆動力Ｐを算出する。
【００５２】
その結果、車速が高い巡航状態からの加速シーンに於いては、図１０に示す加速開始の瞬間である時点ｔ１３から駆動力を抑制することができ、無駄な燃料消費を抑えることができる。又、図１０に時点ｔ１１で示す車速が低い発進シーンでは、ドライバーが思い描く加速度を与えて、アクセルペダルの踏み増しを防ぎ、車速の上昇とともに、徐々に駆動力を小さくしていくことで、ドライバーに気づかれることなく、燃料消費量を抑えるものである。
【００５３】
以上述べたように、この発明の実施の形態２による車両駆動力制御装置によれば、ドライバーに煩わしさを感じさせることなく、即ちドライバーの意識がなくても燃費を向上させることができる車両駆動力制御装置を提供することができる。
【符号の説明】
【００５４】
１０１、９０１    アクセル開度センサ
１０２    踏込み経過時間算出手段
１０３    アクセル開度変化量算出手段
１０４、９０３    相対位置・相対速度検出センサ
１０５、９０２    車速センサ
１０６、９０４    接近状態判定手段
１０７、９０５    目標駆動力算出手段
１０８、１０６    駆動力制御手段
１０９、９０７    駆動力制御装置
【図１】
2010281255.tif 000008
【図２】
2010281255.tif 000009
【図３】
2010281255.tif 000010
【図４】
2010281255.tif 000011
【図５】
2010281255.tif 000012
【図６】
2010281255.tif 000013
【図７】
2010281255.tif 000014
【図８】
2010281255.tif 000015
【図９】
2010281255.tif 000016
【図１０】
2010281255.tif 000017
【図１１】
2010281255.tif 000018
【図１２】
2010281255.tif 000019